(57)【要約】      （修正有）【課題】粘膜を照らしたときに、粘膜の色調を殆ど変化させることなく、粘膜の血管を容易に識別することが可能なＬＥＤライトを提供する。【解決手段】光源となる白色ＬＥＤ４の前方に、赤色強調フィルタ１０と緑色強調フィルタ１１を重なるように配置し、白色ＬＥＤの光が、赤色強調フィルタ及び緑色強調フィルタを透過して前方に照射されるよう構成する。かかるＬＥＤライト１では、白色ＬＥＤの光を直接照射した場合と同様の色調で粘膜を視認することができ、なおかつ、血管のある部分とない部分のコントラストが高くなり、粘膜の血管を強調することが可能となる。【選択図】図２
0003195197.tif 000002
【実用新案登録請求の範囲】
【請求項１】
白色ＬＥＤからなる光源と、赤色強調フィルタと、緑色強調フィルタとを備え、
赤色強調フィルタと緑色強調フィルタは、光源の前方に重なるように配置され、
光源の光が、赤色強調フィルタ及び緑色強調フィルタを透過して前方に照射されるよう構成されていることを特徴とするＬＥＤライト。
【請求項２】
赤色強調フィルタと緑色強調フィルタは、間隔をおいて重なっていることを特徴とする請求項１に記載のＬＥＤライト。
【請求項３】
粘膜を観察するときの照明として用いられる粘膜観察用ライトであることを特徴とする請求項１又は請求項２に記載のＬＥＤライト。
【請求項４】
ペンライトであることを特徴とする請求項１乃至請求項３のいずれか１項に記載のＬＥＤライト。
【考案の詳細な説明】
【技術分野】
【０００１】
本考案は、ＬＥＤ（発光ダイオード）を光源とするライトに関し、特に、咽頭や口腔、鼻腔、外耳道などの粘膜を目視観察する際の照明に適したＬＥＤライトに関する。
【背景技術】
【０００２】
医療診察などで、咽頭や口腔、鼻腔、外耳道などの粘膜を観察するのに、ペンライトタイプやヘッドライトタイプのＬＥＤライトがよく用いられている。こうしたＬＥＤライトでは、白色ＬＥＤが光源として専ら用いられている。
【０００３】
一方、検査で粘膜の観察に使用する内視鏡のような高価な装置では、白色光（広帯域光）を照射して観察するモードに加えて、青色と緑色の狭帯域光を照射して観察するモードを備えている（例えば、特許文献１）。狭帯域光で観察するモードでは、白色光で観察する場合に比べて血管を強調でき、これにより、病変を明確に判別することができるとされている。
【０００４】
また、フィルムカメラの分野では、被写体の全体的な色調を損なうことなく特定の色を強調することのできる色強調フィルタが知られている（例えば、特許文献２）。
【先行技術文献】
【特許文献】
【０００５】
【特許文献１】特開２００１−１７０００９号公報
【特許文献２】特許第３０４４０１７号公報
【考案の概要】
【考案が解決しようとする課題】
【０００６】
ところで、従来のペンライトタイプやヘッドライトタイプのＬＥＤライトが照射する白色光（広帯域光）では、粘膜を観察したときに、粘膜の血管を識別しづらく、医療診察などで、血管パターンの異常を見落とすおそれがある。内視鏡のように狭帯域光を照射するＬＥＤライトで粘膜観察を行うことも提案されるが、狭帯域光では、粘膜の色調が大きく変化してしまうため、粘膜の色の異常を見落とすおそれがある。
【０００７】
本考案は、かかる現状に鑑みてなされたものであり、従来のＬＥＤライトに比べて、粘膜観察時に、粘膜の色調を殆ど変化させることなく、粘膜の血管を容易に識別することのできるＬＥＤライトの提供を目的とする。
【課題を解決するための手段】
【０００８】
考案者は、粘膜の血管を適切に観察し得るＬＥＤライトを実現することを目的として、試行錯誤したところ、フィルムカメラの光学フィルタとして使用されている赤色強調フィルタと緑色光学フィルタを、白色ＬＥＤと組み合わせて使用することにより、粘膜の色調を殆ど変化させることなく、粘膜の血管を強調し得ることを見出し、本考案を完成するに到った。
【０００９】
すなわち、本考案は、白色ＬＥＤからなる光源と、赤色強調フィルタと、緑色強調フィルタとを備え、赤色強調フィルタと緑色強調フィルタは、光源の前方に重なるように配置され、光源の光が、赤色強調フィルタ及び緑色強調フィルタを透過して前方に照射されるよう構成されていることを特徴とするＬＥＤライトである。ここで、「白色ＬＥＤ」とは、ＬＥＤ素子と蛍光体の組み合わせ、または、複数のＬＥＤ素子の組合せにより、白色と視認され得る疑似的な白色光を放つものである。また、赤色強調フィルタは、赤色以外の色調を維持しつつ、赤色を強調する光学フィルタであり、緑色強調フィルタは、緑色以外の色調を維持しつつ、緑色を強調する光学フィルタである。
【００１０】
かかるＬＥＤライトで粘膜を照らした場合には、従来の白色ＬＥＤの光で粘膜を直接照らす場合よりも、血管のある部分と血管のない部分のコントラストが高くなって、粘膜の血管を明確に識別可能となる。また、本考案のＬＥＤライトでは、粘膜を照らしたときに、白色ＬＥＤの光で直接照らした場合と略同じ色調で粘膜を視認できる。したがって、かかるＬＥＤライトを医療診察で使用すれば、粘膜の色の正常・異常を判別すると同時に、粘膜の血管パターンの正常・異常を、従来のＬＥＤライトよりも確実に判別可能となる。また、本考案では、広範に流通している汎用の白色ＬＥＤを光源として好適に用いることができ、また、赤色強調フィルタと緑色強調フィルタも、フィルムカメラ用の光学フィルタをＬＥＤライトの形状に合わせて加工するだけで使用できるため、低廉に実現できるという利点がある。
【００１１】
また、本考案にあって、赤色強調フィルタと緑色強調フィルタは、間隔をおいて重なっていることが提案される。
【００１２】
二枚の光学フィルタを重ねた場合は干渉縞が発生することがあるが、かかる構成のように二枚の光学フィルタを間隔をおいて重ねれば、干渉縞の発生を適切に防止できる。
【００１３】
上述のように、本考案のＬＥＤライトは、口腔や咽頭、外耳道、鼻腔などの粘膜を観察するのに適しているから、粘膜を観察するときの照明として用いられる粘膜観察用ライトとすることが提案される。一方で、本考案のＬＥＤライトは、既存のＬＥＤライトのように暗所を照らす照明としても使用できるため、粘膜観察用途を含めた汎用ＬＥＤライトとすることも提案される。また、考案者の研究によれば、本考案のＬＥＤライトは、粘膜と類似の色（黄色系統やピンク色系統）の物体の、表面の凹凸を識別するのにも有効である。このため、本考案のＬＥＤライトは、製品表面検査用のＬＥＤライトとすることも提案される。
【００１４】
また、本考案のＬＥＤライトは、ペンライトであることが提案される。ペンライトであれば、口腔や咽頭、外耳道、鼻腔などの狭く、奥まった場所の粘膜をより適切に観察可能となる。
【考案の効果】
【００１５】
以上に述べたように、本考案のＬＥＤライトは、粘膜観察時に、粘膜の色調を、従来のＬＥＤライトと同様の色調に維持しつつ、従来のＬＥＤライトに比べて、血管を明瞭に識別できるから、一つのＬＥＤライトで、粘膜の色と、粘膜の血管パターンとを同時に識別可能となる。
【図面の簡単な説明】
【００１６】
【図１】実施例のＬＥＤライト１の縦断側面図である。
【図２】図１の先端部の拡大図である。
【図３】（ａ）は評価試験の結果を示す図表であり、（ｂ）は評価試験における評価基準を示す図表である。
【考案を実施するための形態】
【００１７】
本考案の実施形態を、以下の実施例に従って説明する。
【００１８】
図１は、実施例のＬＥＤライト１の内部構造を示す縦断側面図である。
本実施例のＬＥＤライト１は、ペンライトであり、細長円筒形状をなす金属製の筐体２を備えている。筐体２の内部には、電池３が収容される。また、筐体２の前端部には、光源となる白色ＬＥＤ４が基板５に実装された形態で配設される。さらに、筐体２の前端部には、白色ＬＥＤ４を前方から覆うように、フィルタ部材６が配設される。また、筐体２の後端部には、白色ＬＥＤ４の点灯／消灯を操作するためのノック式の操作スイッチ７が配設される。
【００１９】
図２に示すように、白色ＬＥＤ４は、砲弾形状をなし、白色と視認される疑似的な白色光を照射するものである。本実施例では、白色ＬＥＤ４として、青色ＬＥＤ素子と黄色蛍光体を組み合わせてなる、広範に流通している汎用品を用いている。なお、かかる白色ＬＥＤ４は、砲弾形状のものに限らず、表面実装型のものを採用することも可能である。
【００２０】
図２に示すように、フィルタ部材６は、円板状の二枚の光学フィルタ１０，１１と、各光学フィルタ１０，１１を保持する円筒形の枠体１２と、二枚の光学フィルタ１０，１１の間、及び各光学フィルタ１０，１１と枠体１２の間に配設される三つのＯリング１３とを備えている。二枚の光学フィルタ１０，１１の一方は赤色強調フィルタ１０であり、他方は緑色強調フィルタ１１である。赤色強調フィルタ１０は、他の色調を変化させることなく、赤色のみを強調する光学フィルタであり、緑色強調フィルタ１１は、他の色調を変化させることなく緑色のみを強調する光学フィルタである。これらの光学フィルタ１０，１１は、フィルムカメラで用いられているものを好適に用いることができる。二枚の光学フィルタ１０，１１は、枠体１２とＯリング１３によって、間隔をおいて前後に重なった状態で保持されており、これにより、白色ＬＥＤの光が、二枚の光学フィルタ１０，１１を透過してから、ＬＥＤライト１の前方に照射されるよう構成されている。なお、二枚の光学フィルタ１０，１１を前後に重ねる順序は適宜変更可能である。
【００２１】
＜評価試験＞
上記実施例のＬＥＤライト１の性能を調べるため、実施例のＬＥＤライト１のフィルタ部６の構成を一部変更して、比較例０〜５のＬＥＤライトを用意した。比較例０〜５の詳細は以下のとおりである。
比較例０：フィルタ部材６に、光学フィルタを取り付けていないもの。
比較例１：フィルタ部材６に、赤色強調フィルタと青色強調フィルタを取り付けたもの。
比較例２：フィルタ部材６に、青色強調フィルタと緑色強調フィルタを取り付けたもの。
比較例３：フィルタ部材６に、赤色強調フィルタのみを取り付けたもの。
比較例４：フィルタ部材６に、緑色強調フィルタのみを取り付けたもの。
比較例５：フィルタ部材６に、青色強調フィルタのみを取り付けたもの。
なお、実施例及び各比較例で使用した各光学フィルタは以下のとおりである。
赤色強調フィルタ：オーエムジー株式会社  赤色強調ガラス光学フィルタＲＡ−５４
緑色強調フィルタ：オーエムジー株式会社  緑色強調ガラス光学フィルタＲＡ−５６
青色強調フィルタ：オーエムジー株式会社  青色強調ガラス光学フィルタＲＡ−５８
【００２２】
＜評価１＞
実施例及び比較例０〜５のＬＥＤライトを用いて人の口腔及び咽頭の粘膜を観察し、光学フィルタを用いた実施例及び比較例１〜５について、粘膜の血管の識別の容易さを、光学フィルタを用いていない比較例０で観察した場合を基準として評価した。結果は図３のとおりであり、実施例及び比較例１〜５の全てにおいて、比較例０よりも粘膜の血管の識別が容易であった。特に、実施例のＬＥＤライト１を用いた場合は、比較例１〜５と比べても、血管の識別が一層容易であった。すなわち、この結果は、白色ＬＥＤ３の光を、赤色や緑色、青色の色強調フィルタに透してから粘膜に照射することで、血管のある部分とない部分とのコントラストを上げて、粘膜の血管を強調して視認させることができることを示唆している。また、赤色強調フィルタ１０と緑色強調フィルタ１１の組合せを使用した場合には、その他の色強調フィルタを用いた場合に比べて、血管のある部分とない部分のコントラストが高くなって、粘膜の血管の識別がさらに容易となることを示唆している。
【００２３】
＜評価２＞
実施例及び比較例０〜５のＬＥＤライトを用いて人の口腔及び咽頭内を観察し、光学フィルタを用いた実施例及び比較例１〜５について、粘膜の色調を、光学フィルタを用いていない比較例０で観察した場合を基準として評価した。結果は図３のとおりであり、青色強調フィルタを単独で、又は他の光学フィルタと組み合わせて用いた比較例１，２，５は、比較例０と比べると、粘膜の色調の変化が明らかに認められた。一方、赤色強調フィルタと緑色強調フィルタを組み合わせた実施例と、赤色強調フィルタと緑色強調フィルタを単独で用いた比較例３，４は、比較例０と比べると、粘膜の色調変化は殆ど認められなかった。すなわち、この結果は、赤色強調フィルタと緑色強調フィルタを単独で、又は両者を組み合わせて使用した場合には、白色ＬＥＤの光を直接照射する場合と同様の色調で粘膜を観察できることを示唆している。
【００２４】
以上のように、本実施例のＬＥＤライト１は、白色ＬＥＤ４の光で直接粘膜を観察する場合に比べて、粘膜の色調を殆ど変化させることなく、粘膜の血管を明瞭に識別可能となる。したがって、本実施例のＬＥＤライト１を、咽頭や口腔、鼻腔、外耳道などの粘膜を観察に用いれば、既存のＬＥＤライトで観察する場合に比べて、粘膜の血管パターンの正常・異常をより確実に判別可能となり、なおかつ、従来のＬＥＤライト同様に、粘膜の色の正常・異常を正確に判断できる。また、本実施例のＬＥＤライト１は、広範に流通している汎用の白色ＬＥＤを光源として用いることができ、また、赤色強調フィルタと緑色強調フィルタも、フィルムカメラに用いられる光学フィルタを使用できるため、低廉に実現できるという利点がある。
【００２５】
また、本実施例では、赤色強調フィルタ１０と緑色強調フィルタ１１を間隔をおいて重ねているため、二枚の光学フィルタ１０，１１を使用しても、干渉縞が発生し難いという利点がある。
【００２６】
また、本実施例のＬＥＤライト１は、ペンライトであるから、口腔や咽頭、外耳道、鼻腔などの狭く、奥まった場所の粘膜を観察するのに適している。
【００２７】
なお、本実施例のＬＥＤライト１は、上述のように、目視での粘膜観察に適した照明であるため、医療診察で粘膜を観察するのに用いる専用品とすることも可能であるが、既存のペンライトと同様に使用できるため、粘膜観察以外の用途に限定することなく、暗所を照らす汎用ＬＥＤライトとして使用できるという利点がある。また、考案者の研究によれば、本実施例のＬＥＤライトで照らすことにより、粘膜に類似した色の物体の、表面の凹凸を識別も容易となることがわかっている。このため、本実施例のＬＥＤライト１は、製品表面のキズの有無を検査するのに用いるＬＥＤライトとして好適に使用できる。
【００２８】
なお、本考案におけるＬＥＤライトは、上記実施例の形態に限らず本考案の要旨を逸脱しない範囲内において種々変更を加えることができる。
【００２９】
例えば、上記実施例のＬＥＤライト１は、ペンライトであるが、本考案のＬＥＤライトは、ペンライトに限られず、例えば、人の前頭部に取り付けるヘッドライトにすることもできる。
【００３０】
また、上記実施例に係る白色ＬＥＤ４は、ＬＥＤ素子と黄色蛍光体を組み合わせた一般的な白色ＬＥＤであるが、本考案の白色ＬＥＤには、ＬＥＤ素子と、赤色や緑色、青色などの蛍光体とを組み合わせた高演色性の白色ＬＥＤを用いることもできるし、複数色のＬＥＤ素子（赤色、緑色、青色等）を組み合わせてなる白色ＬＥＤを用いることもできる。
【００３１】
また、上記実施例では、白色ＬＥＤ４の光が、赤色強調フィルタと緑色強調フィルタのみを透過して外部に照射されるよう構成されているが、本考案のＬＥＤライトの開口部には、赤色強調フィルタと緑色強調フィルタの他に、光学フィルタを保護する透明板や、集光レンズ、リフレクタなどを設けることが可能である。
【００３２】
また、上記実施例では、二枚の光学フィルタ１０，１１を共通の枠体１２に保持しているが、本考案に係る光学フィルタ１０，１１は別々の枠体に保持することも可能である。
【００３３】
また、上記実施例では、単一の白色ＬＥＤ４が光源として配設されているが、本考案では、複数の白色ＬＥＤを光源として使用しても構わない。
【符号の説明】
【００３４】
１  ＬＥＤライト
２  筐体
３  電池
４  白色ＬＥＤ
５  基板
６  フィルタ部材
７  操作スイッチ
１０  赤色強調フィルタ
１１  緑色強調フィルタ
１２  枠体
１３  Ｏリング
【図１】
0003195197.tif 000003
【図２】
0003195197.tif 000004
【図３】
0003195197.tif 000005